(57)【要約】【課題】微小な文字等を含んだ微細な構成要素から構成された真贋識別用（偽造防止用）の識別領域を備えたシールを用いて基板ケースを封印する遊技機を提供する。【解決手段】主制御基板５０を収容する２つのケース片２１０、２２０を有した基板ケースと、２つのケース片にまたがって接着されたシール２５０と、を備え、シールは、少なくともその一部に肉眼で判別、判読が困難な微小な文字、図形、記号、又は／及び、模様を含む識別領域２５１を備えている。【選択図】図１０
2017080279.tif 000002
【特許請求の範囲】
【請求項１】
制御基板を収容する２つのケース片を有した基板ケースと、該２つのケース片にまたがって接着されたシールと、を備えた遊技機であって、
前記シールは、少なくともその一部に肉眼による判別が困難な微小な文字、図形、記号、又は／及び、模様を含む識別領域を備えていることを特徴とする遊技機。
【請求項２】
前記識別領域にはランダムマイクロ文字を含んでいることを特徴とする請求項１に記載の遊技機。
【発明の詳細な説明】
【技術分野】
【０００１】
本発明は、パチンコ遊技機、スロットマシン等の各種遊技機に搭載されたＲＯＭを交換する等の不正行為を目的として基板保護ケースが開放された場合にその形跡を確実に残して不正行為を発見可能とし、その結果として不正行為を効果的に予防することができる封印シールを備えた遊技機に関する。
【背景技術】
【０００２】
パチンコ遊技機、スロットマシン等の各種遊技機に搭載されるＲＯＭを不正に取り換えることにより、遊技内容を遊技者に都合よく進行させて出球を獲得する不正行為が所謂ゴト師によって行われ、その手法は巧妙化している。
ＲＯＭは制御基板上に搭載された状態で基板保護ケース内に収納されているが、このようなＲＯＭの不正な取り換えは、工場から出荷された遊技機が遊技場に設置される以前の段階、或いは設置後に基板保護ケースを開放した上で行われる可能性が高い。
このような不正行為に対する対策として特許文献１には、制御基板上のＲＯＭを包囲するケース体とカバー体とを分離不能な結合手段によって結合することにより、結合手段を破壊した場合にその痕跡が必ず残るようにした技術が提案されている。
【０００３】
しかし、不正行為者の手口が日々巧妙化することにより、結合手段を破壊して基板保護ケースを開放してＲＯＭを交換した後で、形跡が残らないように新たな結合手段を組み付ける可能性がある。
このような不具合に対処すべく、遊技機メーカーの業界団体が認証、発行した封印シールを用いて基板保護ケースを封印することが行われている。封印シールとしては、接着シート面にＲＦＩＤを組み込んだものが開発されており、基板保護ケースが不正に開放されて封印シールが破断した時にＲＦＩＤを構成する回路パターンが破断するように構成して、ＲＦＩＤと送受信装置との間での通信機能が喪失するようにしたものが知られている。
【０００４】
特許文献２には、ＲＦＩＤを組み込んだ封印シールによって基板保護ケースを封印する対策が講じられた場合に、不正行為者が基板保護ケースの不正開放によって一旦破断した封印シールを基板保護ケースの再閉止時に修復してＲＦＩＤによる通信機能を回復させることを不可能にするための提案がなされている。
しかし、ＲＦＩＤを備えた封印シールは、不正行為の有無を検知するための送受信機を必要とし、遊技場において送受信機を装備するためのコストがかかるのみならず、送受信機を用いた検知作業は繁雑であるという問題があった。
【先行技術文献】
【特許文献】
【０００５】
【特許文献１】特開２００６−１３０３５２公報
【特許文献２】特許第４９８７０２０号
【発明の概要】
【発明が解決しようとする課題】
【０００６】
本発明は上記に鑑みてなされたものであり、微小な文字等を含んだ微細な構成要素から構成された真贋識別用（偽造防止用）の識別領域を備えたシールを用いて基板ケースを封印する遊技機を提供するものである。
【課題を解決するための手段】
【０００７】
上記目的を達成するため、本発明の遊技機は、制御基板を収容する２つのケース片を有した基板ケースと、該２つのケース片にまたがって接着されたシールと、を備えた遊技機であって、前記シールは、少なくともその一部に肉眼による判別が困難な微小な文字、図形、記号、又は／及び、模様を含む識別領域を備えていることを特徴とする。
また、本発明の遊技機は、前記識別領域にはランダムマイクロ文字を含んでいることを特徴とする。
また、本発明の遊技機は、前記基板ケースに装着されて前記シールの少なくとも一部を覆い、且つ少なくとも一部に透光部を有した包囲部材を備え、前記包囲部材の透光部に前記識別領域の少なくとも一部を拡大させる拡大レンズ部を配置したことを特徴とする。
また、本発明の遊技機は、前記包囲部材の透光部自体を予め前記拡大レンズ部としていることを特徴とする。
また、本発明の遊技機は、前記包囲部材の透光部に対して、別体の前記拡大レンズ部を後付けしたことを特徴とする。
【発明の効果】
【０００８】
本発明によれば、微小な文字等を含んだ微細な構成要素から構成された真贋識別用（偽造防止用）の識別領域を備えたシールを用いて基板ケースを封印する遊技機を提供することができる。
【図面の簡単な説明】
【０００９】
【図１】本発明の一実施形態に係る遊技機の一例を示した正面図である。
【図２】本実施形態に係る遊技機の裏面側の一例を示した斜視図である。
【図３】本実施形態に係る遊技機に備えられている遊技制御装置の構成を示したブロック図である。
【図４】ベース枠体に各ユニットを組み付けた状態を示す背面図である。
【図５】図４の一部を分解して示した斜視図である。
【図６】本発明の封印構造を備えた基板保護ケースの背面図である。
【図７】台座に対して基板保護ケースが開放された状態を示す斜視図である。
【図８】台座を含む基板保護ケースの分解斜視図である。
【図９】（ａ）乃至（ｄ）は突き合わせ部に対して切断部材、封印シール、キャップを組み付ける手順を上ケース片の突出片を中心として示す模式図であり、（ｅ）は突出片の端面図である。
【図１０】突き合わせ部に対して切断部材、封印シール、キャップを組み付ける直前の状態を示す分解斜視図である。
【図１１】突き合わせ部に封印シールを接着した状態を示す斜視図である。
【図１２】封印シールに対してキャップを装着した状態を示す斜視図である。
【図１３】キャップを離脱させて封印シールを破断した状態を示す斜視図である。
【図１４】（ａ）及び（ｂ）は封印シールの一例の表面図、及び一部拡大図である。
【図１５】（ａ）及び（ｂ）は封印シールの他の構成例を示しており、第２シール接着部の他に第１シール接着部にも識別領域を設けた例を示す図である。
【図１６】別部材としての拡大レンズ部材を既存のキャップに後付けする場合の構成例を示した図である。
【図１７】単体としての拡大レンズ部材をキャップに後付けするようにした構成例の説明図である。
【発明を実施するための形態】
【００１０】
以下、本発明を図面に示した実施の形態により詳細に説明する。
＜遊技機の基本構成＞
図１は、本実施形態に係る遊技機の一例を示した正面図、図２は、本実施形態に係る遊技機の裏面側の一例を示した斜視図、図３は、本実施形態に係る遊技機に備えられている遊技制御装置の構成を示したブロック図である。
【００１１】
図１に示す遊技機１には、遊技ホールの島構造体に取付けられる外枠２に内枠（開閉枠）３が開閉可能に装着され、この内枠３にガラス枠４が開閉可能に装着されている。
ガラス枠４には窓４ａが形成され、その窓４ａに透明板（ガラス板）４ｂが装着されている。内枠３には遊技球が打出される盤面を有する遊技盤１０が装着され、この遊技盤１０の盤面とその前側の透明板との間に遊技球が転動、流下可能な遊技領域１０ａが形成されている。透明板４ｂは、例えばガラス板であり、ガラス枠４に対して着脱可能に固定されている。
【００１２】
ガラス枠４は、左右方向の一端側（例えば遊技機に正対して左側）においてヒンジ機構部５を介して外枠２に連結されており、ヒンジ機構部５を支点として左右方向の他端側（例えば遊技機に正対して右側）を外枠２から開放させる方向に回動可能とされている。ガラス枠４は、透明板とともに遊技盤１０を覆い、ヒンジ機構部５を支点として扉のように回動することによって、遊技盤１０を含む外枠２の内側部分を開放することができる。ガラス枠４の他端側には、ガラス枠４の他端側を外枠２に固定するロック機構が設けられている。ロック機構による固定は、専用の鍵によって解除することが可能とされている。また、ガラス枠４には、ガラス枠４が外枠２から開放されているか否かを検出する扉開放スイッチが設けられている。
【００１３】
ガラス枠４の下部（窓４ａの下側部分）には、遊技球を貯留する貯留皿６（上皿６ａと下皿６ｂ）を有する皿ユニット７が設けられ、その皿ユニット７に、遊技者が押下操作可能な演出ボタン８（図１）と、遊技者が種々の選択操作を実行可能な十字キー４０と、下皿６ｂに貯留された遊技球を遊技機外部へ排出する排出ボタン９とが装備されている。
演出ボタン８は、例えば、後述する画像表示装置１６１に当該演出ボタン８を操作するようなメッセージが表示されたときのみ有効となる。演出ボタン８には、演出ボタン検出スイッチ８ａ（図３参照）が設けられており、この演出ボタン検出スイッチ８ａが遊技者の操作を検出すると、この操作に応じてさらなる演出が実行される。
また、十字キー４０には、十字キー検出スイッチ（上キー検出スイッチ、下キー検出スイッチ、左キー検出スイッチ、右キー検出スイッチ）が設けられている。
【００１４】
ガラス枠４の右下側には、操作ハンドル１１が設けられている。遊技者が操作ハンドル１１に触れると、操作ハンドル１１内にあるタッチセンサ１１ａ（図３参照）が、操作ハンドル１１に遊技者が触れたことを検知し、発射制御基板７５にタッチ信号を送信する。発射制御基板７５は、タッチセンサ１１ａからタッチ信号を受信すると、発射用ソレノイド１２ａの通電を許可する。そして、操作ハンドル１１の回転角度を変化させると、操作ハンドル１１に直結しているギアが回転し、ギアに連結した発射ボリューム１１ｂのつまみが回転する。この発射ボリューム１１ｂの検出角度に応じた電圧が遊技球発射機構に設けられた発射用ソレノイド１２ａに印加される。そして、発射用ソレノイド１２ａに電圧が印加されると、発射用ソレノイド１２ａが印加電圧に応じて作動するとともに、操作ハンドル１１の回動角度に応じた強さで遊技球が遊技盤１０の遊技領域１０ａへ発射される。
【００１５】
遊技盤１０における遊技領域１０ａの周囲には、外レールＲ１及び内レールＲ２が設けられている。これら外レールＲ１及び内レールＲ２は、操作ハンドル１１を操作したときに遊技球発射機構から発射された遊技球を遊技領域１０ａの上部に案内する。遊技領域１０ａの上部に案内された遊技球は、遊技領域１０ａ内を落下する。このとき、遊技領域１０ａに設けられた複数の釘や風車によって、遊技球は予測不能に落下することとなる。
遊技盤１０の略中央には、センター部材１２が配置されている。センター部材１２には、液晶表示装置等からなる画像表示装置１６１と、「刀」を模した演出用役物装置３２が設けられている。
【００１６】
また、センター部材１２の中央下側の遊技領域１０ａには、遊技球が入球可能な第１始動口１３が設けられている。そして、この第１始動口１３の下方に第２始動口１４が設けられている。第２始動口１４は、開閉扉１４ｂを有しており、開閉扉１４ｂが閉状態に維持される第１の態様と、開閉扉１４ｂが開状態となる第２の態様とに可動制御される。従って、第２始動口１４は、第１の態様にあるときには遊技球の入賞機会がなく、第２の態様にあるときには遊技球の入賞機会が増すこととなる。
なお、本実施形態では、第２始動口１４が第１の態様に制御されているときは、第２始動口１４に遊技球が入球することがないようにしている。しかしながら、第２の態様に制御されているときよりも第１の態様に制御されているときの方が遊技球の入球機会が少なければ、第１の態様に制御されているときに第２始動口１４に遊技球が入球しても構わない。つまり、第１の態様には、第２始動口１４への遊技球の入球が不可能または困難な状態が含まれる。
【００１７】
第１始動口１３、及び第２始動口１４には、遊技球の入球を検出する第１始動口検出スイッチ１３ａ（図３参照）及び第２始動口検出スイッチ１４ａがそれぞれ設けられており、これら検出スイッチが遊技球の入球を検出すると、後述する大当たり遊技を実行する権利獲得の抽選（以下、「大当たりの抽選」という）が行われる。また、第１始動口検出スイッチ１３ａ及び第２始動口検出スイッチ１４ａが遊技球の入球を検出した場合にも、所定の賞球（例えば３個の遊技球）が払い出される。
なお、本実施形態の遊技機１では、第１始動口１３及び第２始動口１４に遊技球が入球した場合、例えば３個の遊技球の払い出しを行うようにしているが、遊技球の入球に伴う払い出しは必ずしも行う必要は無い。また、例えば第１始動口１３の払い出し個数を３個、第２始動口１４の払い出し個数を１個といったように始動口ごとに払い出し個数を異なるように構成しても良い。
【００１８】
センター部材１２の両側の遊技領域１０ａには、遊技球が通過可能なゲート１５が設けられている。ゲート１５には、遊技球の通過を検出するゲート検出スイッチ１５ａ（図３参照）が設けられており、このゲート検出スイッチ１５ａが遊技球の通過を検出すると、後述する普通図柄の抽選が行われる。
さらにセンター部材１２の右側の遊技領域１０ａには、遊技球が入球可能な第１大入賞口１６及び第２大入賞口１７が設けられている。このため、操作ハンドル１１を大きく回動させ、強い力で打ち出された遊技球でないと、第１大入賞口１６及び第２大入賞口１７には遊技球が入賞しないように構成されている。
【００１９】
第１大入賞口１６は、通常は開閉扉１６ｂによって閉状態に維持されており、遊技球の入球を不可能としている。これに対して、後述する大当たり遊技が開始されると、開閉扉１６ｂが開放されるとともに、この開閉扉１６ｂが遊技球を第１大入賞口１６内に導く受け皿として機能し、遊技球が第１大入賞口１６に入球可能となる。第１大入賞口１６には第１大入賞口スイッチ１６ａが設けられており、この第１大入賞口スイッチ１６ａが遊技球の入球を検出すると、予め設定された賞球（例えば１５個の遊技球）が払い出される。
【００２０】
第２大入賞口１７は、通常は可動片１７ｂによって閉状態に維持されており、遊技球の入球を不可能としている。これに対して、後述する大当たり遊技が開始されると、可動片１７ｂが作動して開放されるとともに、この可動片１７ｂが遊技球を第２大入賞口１７内に導く誘導路として機能し、遊技球が第２大入賞口１７に入球可能となる。第２大入賞口１７には第２大入賞口スイッチ１７ａが設けられており、この第２大入賞口スイッチ１７ａが遊技球の入球を検出すると、予め設定された賞球（例えば１５個の遊技球）が払い出される。
さらに、遊技領域１０ａには複数の一般入賞口１８が設けられている。これら各一般入賞口１８に遊技球が入賞すると、所定の賞球（例えば１０個の遊技球）が払い出される。
【００２１】
遊技領域１０ａの最下部には、一般入賞口１８、第１始動口１３、第２始動口１４、第１大入賞口１６及び第２大入賞口１７のいずれにも入球しなかった遊技球を排出するためのアウト口１９が設けられている。
画像表示装置１６１は、遊技が行われていない待機中に画像を表示したり、遊技の進行に応じた画像を表示したりする。なかでも、第１始動口１３または第２始動口１４に遊技球が入球したときには、抽選結果を遊技者に報知する演出図柄３５が変動表示される。
演出図柄３５というのは、例えば第１図柄（左図柄）、第２図柄（右図柄）、第３図柄（中央図柄）という３つの図柄（数字）をそれぞれスクロール表示するとともに、所定時間経過後に当該スクロールを停止させて、特定の図柄（数字）を配列表示するものである。
【００２２】
これにより、図柄のスクロール中には、あたかも現在抽選が行われているような印象を遊技者に与えるとともに、スクロールの停止時に表示される図柄によって、抽選結果が遊技者に報知される。この演出図柄３５の変動表示中に、さまざまな画像やキャラクター等を表示することによって、大当たりに当選するかもしれないという高い期待感を遊技者に与えるようにしている。
また、図示しないが、画像表示装置１６１には、上記演出図柄３５とは別に第４図柄が表示されている。第４図柄は、大当たり抽選処理による抽選結果の報知に用いる演出図柄３５の変動状態を示している図柄である。
なお、第４図柄は、必ずしも画像表示装置１６１に表示する必要は無く、別途、第４図柄表示ランプを設けて表示するようにしても良い。
【００２３】
ガラス枠４の上部には、左右１対の演出用照明装置３３が装備されている。演出用照明装置３３は、それぞれ複数のライトを備えており、各ライトの光の照射方向や発光色を変更しながら、さまざまな演出を行うようにしている。
また、演出用照明装置３３は、それぞれ複数のライトを備えており、各ライトの光の照射方向や発光色を変更しながら、さまざまな演出を行うようにしている。
さらに、図１には示していないが、遊技機１にはスピーカからなる音声出力装置３４（図３参照）が設けられており、上記の各演出装置に加えて、ＢＧＭ（バックグランドミュージック）、ＳＥ（サウンドエフェクト）等を出力し、サウンドによる演出も行うようにしている。
【００２４】
遊技領域１０ａの左側下方には、後述する第１特別図柄表示装置２０、第２特別図柄表示装置２１、普通図柄表示装置２２、第１特別図柄保留表示器２３、第２特別図柄保留表示器２４、普通図柄保留表示器２５、ラウンド回数表示器２６等の表示領域が設けられている。
第１特別図柄表示装置２０は、第１始動口１３に遊技球が入球したことを契機として行われた大当たりの抽選結果を報知するものであり、複数のＬＥＤで構成されている。つまり、大当たりの抽選結果に対応する特別図柄が複数設けられており、この第１特別図柄表示装置２０に大当たりの抽選結果に対応する特別図柄（点灯態様）を表示することによって、抽選結果を遊技者に報知するようにしている。このようにして表示される特別図柄はすぐに表示されるわけではなく、所定時間変動表示（点滅）された後に停止表示されるようにしている。
より詳細には、第１始動口１３に遊技球が入球すると、大当たりの抽選が行われることとなるが、この大当たりの抽選結果は即座に遊技者に報知されるわけではなく、所定時間を経過したところで遊技者に報知される。そして、所定時間が経過したところで、大当たりの抽選結果に対応する特別図柄が停止表示して遊技者に抽選結果が報知されるようにしている。
【００２５】
第２特別図柄表示装置２１は、第２始動口１４に遊技球が入球したことを契機として行われた大当たりの抽選結果を報知するためのもので、その表示態様は、上記第１特別図柄表示装置２０における特別図柄の表示態様と同一である。
普通図柄表示装置２２は、ゲート１５を遊技球が通過したことを契機として行われる普通図柄の抽選結果を報知するためのものである。詳しくは後述するが、この普通図柄の抽選によって所定の当たりに当選すると普通図柄表示装置２２が点灯し、その後、第２始動口１４が所定時間、第２の態様に制御される。なお、この普通図柄についても、ゲート１５を遊技球が通過して即座に抽選結果が報知されるわけではなく、所定時間が経過するまで普通図柄表示装置２２を点滅させる等、普通図柄が変動表示するようにしている。
さらに、特別図柄の変動表示中や後述する特別遊技中等、第１始動口１３または第２始動口１４に遊技球が入球して即座に大当たりの抽選が行えない場合には、一定の条件のもとで大当たりの抽選の権利が留保される。より詳細には、第１始動口１３に遊技球が入球して留保される大当たりの抽選の権利は第１保留として留保され、第２始動口１４に遊技球が入球して留保される大当たりの抽選の権利は第２保留として留保される。
【００２６】
これら両保留は、それぞれ上限留保個数を４個に設定し、その留保個数は、それぞれ第１特別図柄保留表示器２３と第２特別図柄保留表示器２４とに表示される。
そして、普通図柄の上限留保個数も４個に設定されており、その留保個数が、上記第１特別図柄保留表示器２３及び第２特別図柄保留表示器２４と同様の態様によって、普通図柄保留表示器２５において表示される。
ラウンド回数表示器２６は、後述する特別遊技中に行われるラウンド遊技のラウンド回数を報知するためのものである。
【００２７】
図３に示すように、遊技機１の裏面には、主制御基板５０、演出制御基板５５、払出制御基板６０、ランプ制御基板６５、画像制御基板７０、発射制御基板７５、電源基板８０、遊技情報出力端子板２７などが設けられている。また、電源基板８０に遊技機に電力を給電するための電源プラグ８１や、図示しない電源スイッチが設けられている。
【００２８】
次に、演出ボタン８は、皿ユニット７の中央部分に組込まれている。
演出ボタン８は、図示しない通常操作位置と、通常操作位置よりも下方へ退入した押下位置と、通常操作位置よりも上方へ突出した突出操作位置とに亙って進退可能に構成されている。また、演出ボタン８は通常操作位置及び突出操作位置を含む任意の位置から押下位置へ押下操作可能に構成されている。
なお、本明細書では演出ボタン８の詳細な構造については、例えば特開２０１３−１１６１６８公報等に開示されているので説明を省略する。
【００２９】
＜遊技盤背面の構成＞
次に、遊技盤の背面側の構成について説明する。
図４はベース枠体に各ユニットを組み付けた状態を示す背面図であり、図５は図４の一部分解斜視図である。
【００３０】
図２、図４、図５等に示すように、遊技盤１０の背面（後面）には、前後方向に貫通する開口部を有したベース枠体（液晶ベース枠）１３０が組み付けられて、ベース枠体の背面側（後面側）にはその開口部を塞ぐように画像表示ユニット（画像表示装置１６１、及び画像表示カバー１６５）１６０が組み付けられる。画像表示カバー（液晶カバー）１６５の背面（後面）には、ランプ中継基板１６６が組み付けられ、ランプ中継基板１６６よりも下側の画像表示カバー１６５の背面下部には主制御基板を収容した基板保護ケース（基板ケース）２００が取り付けられる。
ベース枠体（液晶ベース）１３０は前後方向へ貫通する開口部を有した略四角形の環状体であり、その環状の前面１３１は遊技盤１０の背面に添設されて固定される。ベース枠体の背面には各種回路基板、部品類を配置するためのスペースがある。
ベース枠体１３０の背面に固定された画像表示ユニット（液晶ユニット）１６０の背面側には、演出制御基板５５が配置されている。画像表示ユニット１６０は、演出制御基板の前方に設けた画像表示ユニット収納用のギャップ（収納空間）内に対して、ベース枠体の側方（左右方向）、上下方向、或いは斜め方向からスライド自在に装着できるように構成されている。
ベース枠体の背面に配置された各種回路基板は、蓋部材１７０によって覆われる（図４、図５）。
【００３１】
＜基板保護ケース＞
次に、基板保護ケースの構成について説明する。
図６は本発明の封印構造を備えた基板保護ケース（基板ケース、制御基板ボックス）の背面図であり、図７は台座に対して基板保護ケースが開放された状態を示す斜視図であり、図８は台座を含む基板保護ケースの分解斜視図であり、図９（ａ）乃至（ｄ）は突き合わせ部に対して切断部材、封印シール、キャップを組み付ける手順を上ケース片の突出片を中心として示す模式図であり、（ｅ）は突出片の端面図であり、図１０は突き合わせ部Ａに対して切断部材、封印シール、キャップを組み付ける直前の状態を示す分解斜視図であり、図１１は突き合わせ部に封印シールを接着した状態を示す斜視図であり、図１２は封印シールに対してキャップを装着した状態を示す斜視図であり、図１３はキャップを離脱させて封印シールを破断した状態を示す斜視図であり、図１４（ａ）及び（ｂ）は封印シールの一例の表面図、及び一部拡大図である。
【００３２】
基板保護ケース（基板ケース、制御基板ボックス）２００は、ＲＯＭを始めとした電子部品を搭載した主制御基板（制御基板、プリント基板）５０を内部に収容した状態でパチンコ遊技機等の遊技機の背面に台座２８０を介して組み付けられる（図６〜図８）。
基板保護ケース２００は、ＲＯＭを搭載した主制御基板（プリント基板）５０を間に挟んだ状態で内部に収容する透明な樹脂製の２つのケース片（下ケース片（基板ケース）２１０、上ケース片（基板ケース）２２０）と、両ケース片２１０、２２０の端縁間に挟まれて保持される封印シール切断用切断部材（以下、切断部材、という）２３０と、後述する封印シール（シール）２５０を接着した基板保護ケースの突き合わせ部Ａに対して着脱自在に装着されるキャップ（包囲部材）２４０と、を備えている。
下ケース片２１０と上ケース片２２０は、基板ケース本体を構成している。
【００３３】
本例では、両ケース片２１０、２２０は、図８中の（イ）で示した互いに逆方向（制御基板面と平行な面方向）にスライドすることにより閉止される。即ち、下ケース片２１０の上下両辺に設けたＬ字状の長穴２１０ａ内に、上ケース片２２０側のこれらの長穴と対応する位置にある図示しないピンを嵌合させて矢印（イ）方向へスライドさせることにより、両ケース片は結合状態となる。
なお、両ケース片２１０、２２０の開閉構造、連結構造、その他の構造は図示以外の構造であってもよい。
上ケース片２２０の下部には内部の主制御基板５０に設けた内部コネクタと外部コネクタとの接続部を覆うコネクタカバー２２９が配置されている。
本例では、下ケース片（基板ケース）２１０は主制御基板５０を間に挟んで上ケース片（基板ケース）２２０に対してカシメ部材により固定される。
【００３４】
基板保護ケース２００の端縁に沿った適所には、カシメ部材２０３（カシメピン２０３ａ、カシメ板２０３ｂ）を用いたカシメ締結部が配置され、カシメ締結部に設けた締結穴内にカシメ部材を打ち込むことにより両ケース片２１０、２２０は閉止状態でロックされる。締結穴に打ち込まれたカシメ部材を除去することによって両ケース片２１０、２２０は開閉、着脱可能な状態となる（図８）。
なお、台座２８０は、遊技機本体の背面側に設けた遊技機側保持部（本例では、ランプ中継基板１６６）に対して基板保護ケース２００を取り付けるための連結手段であり、上ケース片２２０に設けたフック部２２１を台座２８０に設けた軸部２８１に係合させることにより、基板保護ケース２００は軸部２８１を中心として上下方向へ回動する。即ち、基板保護ケース２００の上ケース片２２０がこの台座２８０により保持されるため、基板保護ケース２００は遊技機側の軸部２８１を中心として上下方向へ回動する。
制御基板を収容した基板保護ケース２００は、下ケース片２１０を台座２８０を介してパチンコ遊技機等の遊技盤の背面に添設させた状態で組み付けられるため、遊技盤の背面側から上ケース片２２０を通して内部の制御基板面に搭載された電子部品を視認することができる。また、台座２８０の上部に位置する軸部２８１を中心として基板保護ケース２００を上方に回動させることにより、透明な下ケース片２１０の底面から基板保護ケース内部を確認することができる。
【００３５】
＜封印シール＞
上記の如き構成を備えた基板保護ケース２００を封印する手段として、図１４（ａ）に示した封印シール（シール）２５０が使用される。封印シール２５０は、比較的容易に切断、破断が可能な紙材料から構成されており、表面にはセキュリティ用（偽造防止用）の印刷等がなされ、裏面には接着剤層が形成されている。
表面の上下の各辺に沿って夫々配置された帯状の部位２５１は、ランダムマイクロ文字を含んだ微細な構成要素から構成された真贋識別用（偽造防止用）の識別領域（微細模様領域）２５１である。識別領域２５１以外のセキュリティ用の手段として、ホログラム２５２や、ＱＲコード（登録商標）２５３等が設けられている。
ランダムマイクロ文字は、ごく微小な文字を線部や図柄の一部などに入れ込む技術である。マイクロ文字は解像度の低い複写機では複製できないため、複製物の真偽を確認する手段の一つとなる。
【００３６】
図１４（ｂ）は封印シール２５０に設けられた識別領域（微細模様領域）の一部を１０倍に拡大した図であり、微細な丸、或いは点等から成る模様中に「開封禁止」「セキュリティ」等の隠し文字が記載されている。
この封印シール２５０を基板保護ケースを構成する２つのケース片にまたがって接着しておくことにより、不正に開放がなされた場合には識別領域２５１が必ず破断される。不正行為者がＲＯＭを入れ替えた後でケース体とカバー体を再び閉じて封印シール２５０の破断部同志をつなぎ合わせて外観上元の通りに修復したとしても、識別領域（その他の部位）を拡大鏡で判別することにより破断部、修復部の存在を確実に確認することが可能となる。
【００３７】
ランダムマイクロ文字等の微細な文字等は肉眼では判別（判読、認識、識別）できないため、ルーペなどの拡大鏡を用いて５〜１０倍に拡大することによって始めて判別が可能となる。例えば、個々の文字等が１／１０〜１／５ｍｍの微小サイズである場合には肉眼での判別、判読は困難であるが、１０倍、或いは５倍に拡大することにより通常の視力を有した人によって判別、判読可能な１ｍｍ程度のサイズに拡大することが可能となる。
なお、本発明の封印シール２５０の識別領域２５１は、ランダムマイクロ文字に限るものではなく、少なくともその一部に通常の視力を有した観察者の肉眼による判別（判読、認識、識別）が困難な程度に微小な（微細な）文字、図形、記号、又は／及び、模様を含むものであれば良い。この微小な文字等は拡大することによって上記観察者による判別、判読、真贋判断が可能となる。
なお、「肉眼による判別が困難な」とは、肉眼による判別が不可能ではないが判別が難しい場合と、肉眼による判別が不可能な場合も広く含む。
なお、封印シール上における識別領域２５１の配置の仕方、その形状等は種々変更可能であることは言うまでもない。
【００３８】
図１５（ａ）（ｂ）は封印シールの他の構成例を示しており、第２シール接着部２５０Ｂの他に第１シール接着部２５０Ａにも識別領域２５１を設けた例である。
＜基板保護ケースの要部構造＞
次に、封印シールを接着する部位を中心とした基板保護ケースの要部構造について説明する。
即ち、基板保護ケース２００が図６、図７のような閉止状態にある時に、下ケース片２１０と上ケース片２２０の端縁間（突き合わせ部Ａ＝封印シール接着部）に跨るように封印シール２５０を接着することにより、封印シール２５０を破損せずには両ケース片を開放できないように構成されている。即ち、下ケース片２１０と上ケース片２２０の長手方向一端縁には夫々突出片２１２、２２２が設けられており、両突出片２１２、２２２は、突き合わせ部Ａを構成している。即ち、両突出片２１２、２２２は、下ケース片２１０と上ケース片２２０の長手方向一端縁のほぼ同一位置に設けられることにより、両ケース片を閉止した時に両突出片２１２、２２２が整合状態となって突き合わせ部（封印シール接着部）Ａを形成する。
【００３９】
本例では、封印シール接着部（シール接着部）Ａを両突出片２１２、２２２から構成し、切断部材２３０は両突出片の間に挟まれた状態で支持されているが、何れか一方の突出片の外側面に切断部材２３０を支持（仮係止）する構成としてもよいし、封印シール接着部Ａを一方の突出片のみから構成し、この一つの突出片の一面によって切断部材を支持してもよい。
つまり、切断部材２３０は、封印シール接着部において少なくとも何れか一方のケース片（突出片）によって保持される構成であればよい。
略板状の切断部材２３０は、閉止状態にある２つのケース片２１０、２２０の突出片２１２、２２２（端縁間）によって挟まれて配置される。
封印シール接着部Ａの先端面（両突出片２１２、２２２の各先端面）は第１接着面Ａ１を構成し、第１接着面Ａ１と直交する突出片２１２、２２２の各外面は第２接着面Ａ２を構成する（図９、図１０）。
第１接着面Ａ１と第２接着面Ａ２の内側には切断部材２３０を収容する収容空間Ｓが設けられている（図１０）。
【００４０】
また、第１接着面Ａ１には収容空間Ｓと連通する第１開口部Ｏ１が形成され、第２接着面Ａ２には収容空間Ｓと連通する第２開口部Ｏ２（ガイドスリット２２４）が形成されている。本例では上ケース片２２０に二箇所の第２開口部Ｏ２が形成され、下ケース片２１０に一箇所の第２開口部Ｏ２が形成されている。
封印シール（シール）２５０は、第１開口部Ｏ１の全部または一部を覆って第１接着面Ａ１に接着される第１シール接着部２５０Ａと、第２開口部Ｏ２の一部を覆って第２接着面Ａ２に接着される第２シール接着部２５０Ｂと、を有する（図１４）。
【００４１】
キャップ（包囲部材）２４０は、突き合わせ部Ａの外面に封印シール２５０を接着した状態で封印シールを包囲（隠蔽）するように突き合わせ部の外面に対して着脱自在に装着される。キャップ２４０は、封印シール２５０を含む両突出片（突き合わせ部Ａ）の外面を包囲するキャップ本体２４１と、突き合わせ部Ａに装着された時に突出片２１２、２２２間に挟まれた状態にある切断部材２３０（被係止部２３６）と弾性的に係合する係止部２４２（図９）を備え、キャップを突き合わせ部から離脱させる際に切断部材を一体的に離脱させることにより、封印シールを破断しつつ離脱させる。
キャップ２４０の一側面には管状のカシメ部材２０３Ａが設けられており、図６、図１２のように両突出片２１２、２２２、及び封印シールを覆うようにキャップを装着した時にカシメ部材２０３Ａの中心穴は上下ケース片の対応する位置に設けたカシメ部材２０３Ｂの穴と連通した状態となる。この状態でカシメピン２０３ａ（図８）を差し込んでカシメることにより上下ケース片に対してキャップを固定する。
なお、図示した実施形態では、キャップ２４０が封印シールを含む突出片２１２、２２２全体を包囲している例を示したが、キャップは封印シールの少なくとも一部を包囲するように突き合わせ部（封印シール接着部＝キャップ装着部）Ａの少なくとも一部に装着される構成であればよい。
【００４２】
切断部材２３０は、キャップ２４０を突き合わせ部Ａから離脱させる方向（ロ）（図１０）の先端縁に設けた刃部（第１の破断片）２３１と、離脱させる方向（ロ）と交差（直交）する方向へ突出する破断片（第２の破断片）２３３と、を備えている。破断片２３３は、下ケース片の突出片２１２側の面に一個設けられ、上ケース片の突出片２２２側の面に二個設けられている。
下ケース片の突出片２１２には一つの破断片２３３を受け容れるための一つの第２開口部Ｏ２（ガイドスリット２２４）が形成され、上ケース側の突出片２２２には２つの破断片２３３を夫々受け容れるための２つの第２開口部Ｏ２（ガイドスリット２２４）が形成されている。
切断部材２３０を各ケース片と別部材とすることにより、その刃部２３１等の切断手段の形状を独自に、且つ任意に成形、加工することが可能となり、封印シールを著しく破断させる構成が可能となる。
【００４３】
＜各部材の組み付け手順、及び封印シール破断手順＞
次に、図９により突き合わせ部Ａに対して切断部材２３０、封印シール２５０、キャップ２４０を組み付ける手順を上ケース片の突出片２２２を中心として説明する。
切断部材２３０は、本実施形態では上ケース片の突出片２２２の内側面に対して仮係止されるように構成されている。突出片２２２の内側面（切断部材支持部）には係止部（仮係止部）２２３が一対突設されており、これらの係止部２２３が図９（ａ）の矢印方向へ装着される切断部材２３０の後端縁に設けた２つの凹所（仮係止部）２３２の内側縁部に係合してこれを押さえるように構成されている。また、切断部材の表面側には破断片２３３が突設されており、切断部材を突出片２２２の内側面に矢印方向から装着する際にこの破断片２３３の通過を許容するガイドスリット２２４が突出片２２２に形成されている。従って、切断部材２３０を図９（ａ）に示すように矢印方向へ移動させて突出片２２２の内側面に着座させる際には、切断部材の表面を突出片２２２の内側面に沿ってスライドさせつつ装着することができる。この際、破断片２３３がガイドスリット２２４内に嵌合しつつ移動するため、装着に際しての障害となることがない。
【００４４】
本実施形態のように破断片２３３を切断部材２３０の両面に設けると共に両方の突出片２１２、２２２に夫々ガイドスリット２２４を設けることにより、キャップと共に切断部材が封印シール接着部Ａから離脱する際に両突出片２１２、２２２の外面に接着されている封印シールを同時に破断させることができる。
なお、本実施形態では上ケース片側の突出片２２２に切断部材支持部を設けた構成例を示したが、下ケース片側の突出片２１２の内側面に切断部支持部を設けることも可能である。
【００４５】
更に、切断部材２３０は、長手方向（装着方向と直交する方向）両端縁に弾性変形可能な爪状の被係止部２３６を備えている。被係止部２３６は、切断部材２３０を両突出片２１２、２２２によりサンドイッチ状に挟んだ時に（図９（ｂ）（ｃ）を参照）、両突出片間の隙間から外側に露出した状態にある。このため、キャップを突き合わせ部に装着した際にキャップと切断部材との係合が可能となる。切断部材の先端縁も両突出片の隙間から露出した状態にあるため、キャップと共に切断部材が突き合わせ部から離脱する際にスムーズな離脱と、封印シールの破断が可能となる。
このようにして突出片２２２に対して切断部材２３０を装着した後で、上ケース片２２０に対して下ケース片２１０を装着し、両突出片２１２、２２２に跨って封印シール２５０を接着する。
【００４６】
次に、図９（ｂ）は下ケース片２１０を省略した状態における突き合わせ部に対する封印シール接着状態を示しており、図９（ｃ）、及び図１２はキャップ２４０を装着した状態を示している。
キャップ２４０は、キャップ本体２４１の内側に切断部材２３０の被係止部２３６と係合可能な突起状の係止部２４２を有し、図９（ｃ）のようにキャップを突き合わせ部に装着した時に各係止部２４２が各被係止部２３６の先端部と弾性的に係合して一時的に一体化する。
この状態において、図９（ｄ）、図１３に示すようにキャップ２４０を突き合わせ部から離脱させると、キャップと一体化された切断部材２３０も一体的に離脱するため、切断部材は両突出片２１２、２２２の隙間から抜き取られる。この際に、切断部材の刃部２３１と破断片２３３が封印シールを破断させる。即ち、刃部２３１は、両突出片２１２、２２２間の隙間（第１開口部Ｏ１）から外部（外側）へ離脱自在に構成されている一方で、破断片２３３は突出片２２２に設けたガイドスリット２２４内から外部（外側）へ離脱可能に構成されているため、刃部２３１と破断片２３３の移動経路に位置する封印シールの各部位を破断することができる。
各破断片（第２の破断片）２３３は、封印シールにより覆われていない各第２開口部Ｏ２の一部から突出している。
【００４７】
図１４に示した封印シールの構成例では、封印シール２５０を両突出片に接着した状態においてランダムマイクロ文字から成る識別領域２５１は切断部材２３０に設けた破断片（第２の破断片）２３３の移動経路にある。このため、キャップと共に切断部材を離脱させる際に識別領域２５１は破断片２３３によって破断（破壊）される。
識別領域２５１を切断部材の先端縁の刃部２３１と対応する位置に設けた場合には識別部は刃部２３１によって破断されることとなる（図１３、図１５）。
本実施形態においては、基板保護ケースの突き合わせ部Ａの外面に両ケース片の突出片２１２、２２２に跨るように封印シール２５０を接着した状態において、突き合わせ部の外面にキャップ２４０を被せるように装着しているが、この際に両突出片２１２、２２２間に保持された切断部材２３０とキャップ２４０とが係合して一体化している。従って、基板保護ケースを開放する前の段階、即ちキャップ２４０を突き合わせ部から離脱させる過程で切断部材２３０が封印シール２５０を破断する動作が実施される。
【００４８】
切断部材２３０はその先端（離脱方向先端）にギザギザ状の刃部２３１を有しているため、切断部材２３０が両突出片２１２、２２２の突き合わせ位置から外部に突出したときに、封印シールの第１シール接着部２５０Ａが破断するように構成されている。このため、基板保護ケースが不正に開放されたことを知ることができる。
更に、切断部材２３０は、キャップ２４０を突き合わせ部Ａから離脱させる方向と交差する方向（上ケース片側）へ突出する破断片２３３を備え、切断部材２３０を突出片２２２に装着した際に破断片２３３は上ケース片２２０の突出片２２２に設けたガイドスリット２２４から突出片２２２の表面上に突出した状態となる。この状態で突出片２２２の表面に封印シールを接着すると、破断片２３３が封印シール２５０と常時接触し、干渉した状態となる。このため、キャップ２４０を突き合わせ部から離脱させることにより切断部材が離脱方向へ移動する際に、破断片がガイドスリット２２４に沿って移動することにより封印シールを直線状に破断することができる。この破断片２３３によって破断される封印シール部位（第２シール接着部２５０Ｂ）は、突出片２２２の表面に相当する部位であるため、遊技機の背面側から直視することができ、不正行為が行われた形跡をこの破断部から容易に発見することができる。
基板保護ケースを図７のように台座に対して回動させて開放した場合にはキャップ２４０の反対側を視認することが可能となる。
【００４９】
本実施形態では、封印シール２５０が両突出片２１２、２２２に跨って接着される場合を想定して、切断部材２３０に、識別領域２５１を復旧不能に切断するための刃部２３１と、外観上の破断の形跡を確実に残すための破断片２３３を夫々設けたが、これは一例に過ぎず、先端の刃部２３１のみ、或いは他面の破断片２３３のみを設けても良い。特に、封印シール２５０を両突出片２１２、２２２に跨って接着せず、一方の突出片、例えば上ケース側の突出片２２２の外面のみに接着した場合には、切断部材２３０には破断片２３３を設ければ足りる。つまり、本発明によれば、封印シールを両突出片に跨って接着する場合と、一方の突出片のみに接着する場合の双方に対応することが可能となる。
【００５０】
＜本発明の特徴的な構成＞
本発明に係る遊技機の特徴的な構成は、主制御基板（制御基板）５０を収容する２つのケース片２１０、２２０を有した基板保護ケース（基板ケース）２００と、２つのケース片にまたがって接着された封印シール（シール）２５０と、を備え、封印シールは、少なくともその一部に肉眼による判別、判読が困難な微小な文字、図形、記号、又は／及び、模様を含む識別領域２５１を備えている点にある。
この封印シール２５０を基板保護ケースを構成する２つのケース片にまたがって接着しておくことにより、不正に開放がなされた場合には識別領域２５１が必ず破断される（図９（ｄ）、図１３参照）。不正行為者がＲＯＭを入れ替えた後で２つのケース片を再び閉じて封印シール２５０の破断部同志をつなぎ合わせて外観上元の通りに修復したとしても、拡大鏡で識別領域を視認、判別することにより破断部、修復部の存在を確実に確認することが可能となる。また、元の封印シールを剥離してから偽の封印シールを接着した場合には拡大鏡によって識別領域を拡大視することにより真贋を判別することが可能となる。
【００５１】
一方、封印シール２５０に肉眼による判別、判読が困難な微小な文字、図形、記号、又は／及び、模様を含む識別領域２５１を設けた場合には、遊技場等に設置される多数の遊技機の基板保護ケースが不正に開封されているか否かを検査する作業に拡大鏡が必要となり、作業が繁雑化し、効率が低下することが明らかである。即ち、拡大鏡を用いた検査では、手で把持した拡大鏡をキャップ外面に近接させることによりキャップ内部の封印シールを目視検査することになるが、その際に焦点を合わせるために封印シール上の検査対象部位である識別領域２５１との距離を微調整したり、封印シール面上の検査対象部位に焦点を合わせるために拡大鏡を移動、位置決めさせる等の煩雑な作業が必要となる。要するに拡大鏡と識別領域との間の焦点を合わせるための距離調整、位置調整が煩雑であった。
【００５２】
そこで本発明では、基板保護ケースに装着されて封印シールの少なくとも一部を覆い、且つ少なくとも一部に透光部を有したキャップ２４０を設け、キャップの透光部は、封印シールの識別領域２５１の少なくとも一部に対応する部位に設け、且つキャップの透光部に識別領域を拡大させる拡大レンズ部２５５を配置した。
本例ではキャップ２４０の全体を透明材料から構成することによりキャップ全体を透光部として内部の封印シール全体を目視できるようにする一方で、拡大視したい部位、即ち識別領域２５１に対応する部位に拡大レンズ部２５５を設け、且つ拡大レンズ部の焦点距離が識別領域を構成する文字等と常時合致するように構成した。つまり、拡大レンズ部２５５と封印シール面上の識別領域２５１との位置関係を確定し、且つ識別領域に拡大レンズ部の焦点を合わせた状態で固定することができる。
このため、観察者が拡大レンズ部をのぞき込むことにより理想的な拡大倍率によって識別領域を構成する微小な文字等を目視確認することが可能となる。
【００５３】
図１０、図１１、図１２に示した例ではキャップの透光部の一部を厚肉の凸レンズ状とすることにより、透光部自体を拡大レンズ部２５５としている。
図１１は突出片に接着した封印シールに対してキャップを取り付ける直前の状態を示しており、図１２はキャップを取り付けた状態を示している。
この例では、封印シールの２つの第２シール接着部２５０Ｂと対向するキャップ部位に拡大レンズ部２５５を設けることにより、第２シール接着部２５０Ｂに形成された識別領域２５１を拡大視できるようにしている。拡大レンズ部２５５は、識別領域の少なくとも一部、可能な限り広い範囲をカバーして視認し易い倍率（焦点距離）で細部を拡大できるように構成する。
図１２中に示すように拡大レンズ部２５５を通して封印シール面を視認することにより拡大された識別領域の細部を確認することができる。これは観察対象との焦点距離が最適な状態で確定（固定）していることによる。
識別領域２５１が第１シール接着部２５０Ａに設けられている場合には、第１シール接着部２５０Ａと対面するキャップ部位に拡大レンズ部２５５を設ければ良い。
【００５４】
拡大レンズ部２５５の倍率は識別領域を構成する微小な文字等を拡大して肉眼で視認できるように設定することが好ましいが、キャップ上のスペース等の関係で充分な倍率を有した厚肉の拡大レンズ部を配置できない場合には、拡大レンズ部の倍率を肉眼での視認には不十分な低倍率（拡大レンズ部を薄肉）としておく一方で、低倍率の拡大鏡（ルーペ）を併用して確認するようにしてもよい。この場合も高倍率の拡大鏡だけによって検査するよりは焦点距離を調整し易くなるので、検査効率を高めることが可能となる。
キャップ２４０を透明な樹脂材料から構成する場合には、キャップを射出成形する際に拡大レンズ部を一体的に製造することができる。
或いは拡大レンズ部を有しない既存のキャップに対して透明な接着剤を用いて別部材としての拡大レンズ部を接着して後付けしてもよい。
【００５５】
図１６は別部材としての拡大レンズ部材２５６を既存のキャップに後付けする場合の構成例を示している。即ち、キャップの透光部には拡大機能を付与しない（拡大レンズ部を設けない）一方で、この透光部に対して、別体の拡大レンズ部を後付けしている。
拡大レンズ部材２５６はキャップの外面形状と整合して密着するコ字状のシート（薄板）から成るベース部２５６ａに拡大レンズ部２５５を設けたものであり、既存のキャップの外面に接着する、或いは密着（接触）させることにより何時でも封印シールに対する不正行為の有無を確認することが可能となる。
或いは、拡大レンズ部材２５６をキャップの外面に対して接着（固着）せずに着脱自在に構成して一つの拡大レンズ部材を他の基板保護ケースの検査にも使用できるようにしてもよい。手で把持して使用する通常のルーペを使用する場合に比して、拡大レンズ部と検査対象部位である識別領域との距離、位置関係を確定させることができるので、焦点を合わせる等の煩雑な作業が一切不要となるメリットがある。
なお、図１６ではコ字状のベース部２５６ａの各面上に拡大レンズ部を設けた構成例を示したが、ベース部を備えていない個々の拡大レンズ部を単体として製作し、これを直接キャップの面に接着するようにしてもよい。
【００５６】
図１７はこのような構成例を示しており、単体としての拡大レンズ部材２５６（拡大レンズ部２５５）をキャップの各面に接着することにより、拡大レンズ部を後付けするようにしている。
【００５７】
＜本発明の構成、作用、効果のまとめ＞
第１の本発明に係る遊技機は、制御基板５０を収容する２つのケース片２１０、２２０を有した基板ケースと、２つのケース片にまたがって接着されたシール２５０と、を備え、シールは、少なくともその一部に肉眼による判別が困難な微小な文字、図形、記号、又は／及び、模様を含む識別領域２５１を備えていることを特徴とする。
微小な文字等を含んだ微細な構成要素から構成された真贋識別用（偽造防止用）の識別領域を備えたシールを用いて基板ケースを封印する遊技機を提供するものである。
封印シールの偽造、改変を発見、防止するために、シール上に肉眼での判別、判読が困難な微小な文字、図形、記号、又は／及び、模様を含む識別領域２５１を設ける。
識別領域の状態を拡大して目視することにより封印シールの真贋、封印シールへの不正な措置や加工の有無（破断の有無）を確認し、不正を発見した場合には迅速に対処することができる。
なお、基板保護ケースの封印シールを装着する部位や、その構造に制限はない。不正に開封した時に封印シールが破断するように構成されていればよい。実施形態としてはキャップを取り外したときに刃付き部材（切断部材）がシールを切断する構成例を示したが、これは一例に過ぎない。
封印シールの形状、面積、接着シール上における識別領域の位置、形状等は、接着対象物となる各ケース片の形状等に応じて種々選定可能である。
【００５８】
第２の本発明に係る遊技機は、識別領域２５１に、ランダムマイクロ文字を含んでいることを特徴とする。
肉眼による判別（判読、認識、識別、理解）等が困難な微小な文字、図形、記号、又は／及び、模様を含む識別領域の一例としてランダムマイクロ文字を含んだ識別領域を挙げることができる。
なお、肉眼とは望遠鏡・顕微鏡などの特殊光学機器を用いない場合を意味し、眼鏡やコンタクトレンズ等の視力矯正用具を使用しない裸眼と、視力矯正具を使用する場合の視力は肉眼に含まれる。
つまり、肉眼とは、裸眼で通常の視力を発揮できる場合の他に、視力矯正用具を使用することによって通常の視力を確保できる場合を含むものである。
また、「判別が困難」とは、文字等の観察対象物が微小であるために肉眼によってその形状、形態、状態、配列等の外観を容易に認識、識別、特定、理解（判読）できない場合や、意味を理解できない場合を含む。更に、「判別が困難」とは、判別し難い場合と、判別が不可能な場合を広く含む。
【００５９】
ランダムマイクロ文字は、例えば１０倍に拡大することによって肉眼での視認、判別、判読が可能となる文字であり、文字以外の図形、記号、模様等の中に混在するように構成されている。
ランダムマイクロ文字においては、各シールに表示されるマイクロ文字のパターンがシール一枚毎にユニークなパターンとなるように構成してもよい。主制御基板の管理番号とマイクロ文字パターンとを一対一のセットで管理する場合には、このような構成が最もセキュリティ性が高くなる。
この場合、シールの製造ロット毎に異なるマイクロ文字のパターンを選定するようにしてもよい。シールの生産性とシールパターンの管理の両面において、生産性と管理効率との間のバランスを最も確保し易いのがこの手法である。
【００６０】
第３の本発明に係る遊技機は、基板ケースに装着されてシール２５０の少なくとも一部を覆い、且つ少なくとも一部に透光部を有した包囲部材（キャップ）２４０を備え、包囲部材の透光部に識別領域２５１の少なくとも一部を拡大させる拡大レンズ部２５５を配置したことを特徴とする。
シールを用いて基板ケースを封印した場合に、不正に基板ケースが開放されたか否かを検査する作業に際して格別の拡大鏡を用いることなく肉眼によって識別領域の細部を確認することを可能にした遊技機を提供するものである。
ランダムマイクロ文字等の微小な文字等が印刷された封印シールを用いて主基板ケースを封印した場合に、封印シールを覆う透明な包囲部材の外側から内部のマイクロ文字を判読（判別）するためには、倍率の高い拡大鏡（ルーペ）を用いなければならず作業が煩雑であった。肉眼での文字の判読、或いは低倍率の拡大鏡を用いた判読ができることが好ましい。
【００６１】
しかし、ルーペ等の拡大鏡は手で把持して焦点距離や観察位置を調節する必要があり、細部まで詳細に観察する作業は繁雑であった。
本発明では識別領域の要観察箇所に予め拡大レンズ部を固定配置し、焦点距離の調整も予め済んだ状態としているので、拡大レンズ部をのぞき込むだけで要観察箇所の状態を細部に亘って知ることができる。
即ち、真正なランダムマイクロ文字付きの封印シールをカッタ等により切断してから基板ケースを開封する不正行為を実施し、その後封印シールの外観を原形に戻して修復しつつ再封印した場合であっても、ランダムマイクロ文字部分を拡大して検査すれば切断箇所の有無を知ることができる。また、偽の封印シールに張り替えた場合にも要所を拡大して真贋を判別することが容易となる。
【００６２】
第４の本発明に係る遊技機は、包囲部材の透光部自体を予め拡大レンズ部としていることを特徴とする。
拡大レンズ部は透明包囲部材に予め一体化しておいてもよい。包囲部材を射出成形などにより製造する際に拡大レンズ部を一括して製造することができる。
【００６３】
第５の本発明に係る遊技機は、包囲部材の透光部に対して、別体の拡大レンズ部を後付けしたことを特徴とする。
拡大レンズ部を包囲部材に対して後付け可能にすることにより、既存の透明包囲部材をそのまま利用することが可能となる。
後付け可能な拡大レンズ部は、包囲部材に固着してもよいし、着脱自在にして他の基板保護ケースの検査に転用できるようにしてもよい。拡大レンズ部は包囲部材に密着して装着されることにより、要観察部位に対する位置決め、焦点距離が最適な状態に確定するので、手で把持しつつ作業を行うルーペ等を用いた観察よりも作業性、正確性を高めることができる。
透光部は透明な材質からなる部位であってもよいし、貫通した穴であってもよい。
なお、肉眼による判別、判読を可能にするためには拡大レンズ部の倍率は５〜１０倍であることが好ましいが、拡大レンズ部自体はそれよりも低倍率としておく一方で、別体の拡大鏡との併用により判別、判読を可能にする構成としてもよい。配置スペースなどの関係で、包囲部材側に充分な拡大倍率の拡大レンズ部を設けることができない場合もあるからである。
【００６４】
本発明に係る基板保護ケース２００は、パチンコ遊技機、スロットマシン等の遊技機に装備される制御基板を収容する手段として利用可能である。
【符号の説明】
【００６５】
１…遊技機、２…外枠、３…内枠、４…ガラス枠、４ａ…窓、４ｂ…透明板（ガラス板）、５…ヒンジ機構部、６…貯留皿、６ａ…上皿、６ｂ…下皿、７…皿ユニット、８…演出ボタン、８ａ…演出ボタン検出スイッチ、９…排出ボタン、１０…遊技盤、１０ａ…遊技領域、１１…操作ハンドル、１１ａ…タッチセンサ、１１ｂ…発射ボリューム、１２…センター部材、１２ａ…発射用ソレノイド、１３…始動口、１３ａ…始動口検出スイッチ、１４…始動口、１４ａ…始動口検出スイッチ、１４ｂ…開閉扉、１５…ゲート、１５ａ…ゲート検出スイッチ、１６…大入賞口、１６ａ…大入賞口スイッチ、１６ｂ…開閉扉、１７…大入賞口、１７ａ…大入賞口スイッチ、１７ｂ…可動片、１８…一般入賞口、１９…アウト口、２０…特別図柄表示装置、２１…特別図柄表示装置、２２…普通図柄表示装置、２３…特別図柄保留表示器、２４…特別図柄保留表示器、２５…普通図柄保留表示器、２６…ラウンド回数表示器、２７…遊技情報出力端子板、３２…演出用役物装置、３３…演出用照明装置、３４…音声出力装置、３５…演出図柄、３５…上記演出図柄、４０…十字キー、５０…主制御基板（制御基板）、５５…演出制御基板、６０…払出制御基板、６５…ランプ制御基板、７０…画像制御基板、７５…発射制御基板、８０…電源基板、８１…電源プラグ、１３０…ベース枠体、１３１…前面、１６０…画像表示ユニット、１６１…画像表示装置、１６５…画像表示カバー、１６６…ランプ中継基板、１７０…蓋部材、２００…基板保護ケース（基板ケース）、２０３…カシメ部材、２０３Ａ…カシメ部材、２０３Ｂ…カシメ部材、２０３ａ…カシメピン、２０３ｂ…カシメ板、２１０…下ケース片、２１０ａ…長穴、２１２、２２２…突出片、２２０…上ケース片、２２１…フック部、２２３…係止部、２２４…ガイドスリット、２２９…コネクタカバー、２３０…切断部材、２３１…刃部（第１の破断片）、２３３…破断片（第２の破断片）、２３６…被係止部、２２４…ガイドスリット、２４０…キャップ（包囲部材）、２４１…キャップ本体、２４２…係止部、２５０…シール（封印シール）、２５０Ａ…第１シール接着部、２５０Ｂ…第２シール接着部、２５１…識別領域、２５２…ホログラム、２５３…ＱＲコード（登録商標）、２５５…拡大レンズ部、２５６…拡大レンズ部材、２５６ａ…ベース部、２８０…台座、２８１…軸部、Ａ…封印シール接着部（突き合わせ部）、Ａ１…第１接着面、Ａ２…第２接着面、Ｏ１…第１開口部、Ｏ２…第２開口部、Ｓ…収容空間。
【図１】
2017080279.tif 000003
【図２】
2017080279.tif 000004
【図３】
2017080279.tif 000005
【図４】
2017080279.tif 000006
【図５】
2017080279.tif 000007
【図６】
2017080279.tif 000008
【図７】
2017080279.tif 000009
【図８】
2017080279.tif 000010
【図９】
2017080279.tif 000011
【図１０】
2017080279.tif 000012
【図１１】
2017080279.tif 000013
【図１２】
2017080279.tif 000014
【図１３】
2017080279.tif 000015
【図１４】
2017080279.tif 000016
【図１５】
2017080279.tif 000017
【図１６】
2017080279.tif 000018
【図１７】
2017080279.tif 000019
【手続補正書】
【提出日】平成28年9月15日(2016.9.15)
【手続補正１】
【補正対象書類名】特許請求の範囲
【補正対象項目名】全文
【補正方法】変更
【補正の内容】
【特許請求の範囲】
【請求項１】
制御基板を収容する２つのケース片を有した基板ケースと、該２つのケース片にまたがって接着されたシールと、を備えた遊技機であって、
前記シールは、少なくともその一部に肉眼による判別が困難な微小な文字、図形、記号、又は／及び、模様を含む識別領域を備えており、
前記基板ケースに装着されて前記シールの少なくとも前記識別領域を覆い、且つ少なくとも一部に透光部を有した包囲部材を備え、該包囲部材の透光部に前記識別領域の少なくとも一部を拡大させる拡大レンズ部を配置し、
前記包囲部材を前記基板ケースから離脱させると、前記シールの前記識別領域の少なくとも一部が破断する構成を備え、
前記基板ケースに前記包囲部材を装着した状態では、前記拡大レンズ部は前記識別領域の破断箇所に対応した位置に配置されていることを特徴とする遊技機。
【手続補正２】
【補正対象書類名】明細書
【補正対象項目名】０００７
【補正方法】変更
【補正の内容】
【０００７】
上記目的を達成するため、本発明の遊技機は、制御基板を収容する２つのケース片を有した基板ケースと、該２つのケース片にまたがって接着されたシールと、を備えた遊技機であって、前記シールは、少なくともその一部に肉眼による判別が困難な微小な文字、図形、記号、又は／及び、模様を含む識別領域を備えており、前記基板ケースに装着されて前記シールの少なくとも前記識別領域を覆い、且つ少なくとも一部に透光部を有した包囲部材を備え、該包囲部材の透光部に前記識別領域の少なくとも一部を拡大させる拡大レンズ部を配置し、前記包囲部材を前記基板ケースから離脱させると、前記シールの前記識別領域の少なくとも一部が破断する構成を備え、前記基板ケースに前記包囲部材を装着した状態では、前記拡大レンズ部は前記識別領域の破断箇所に対応した位置に配置されていることを特徴とする。